(57)【要約】【課題】複数の通信条件に対応可能に構成していながら、操作の複雑化を招くことなく、適切な通信条件で通信を行なう。【解決手段】本発明の無線通信装置は、使用する位置に応じた通信条件で無線通信を行なう技術に関するものであり、他の装置と無線通信を行なう際、現在の位置を認識して、この位置情報に対応する通信条件を決定し、この通信条件を前記無線通信装置の通信制御部に設定し、該通信制御部がこの通信条件に基づいて無線通信を行なうことにより、複数の国や複数の接続サービスに対応可能に構成しても操作の複雑化を招くことなく、適切な通信条件を自動的に設定して無線通信が行なえるようにしている。【選択図】          図１
2004153387.tif 000002
【特許請求の範囲】
【請求項１】
他の装置と無線通信を行なう無線通信装置において、
無線通信を行なう通信部と、
前記通信部を所定の通信条件に基づいて制御する通信制御部と、
現在の位置を認識する位置情報取得部と、
前記位置情報取得部で取得した位置情報に対応する通信条件を決定する通信条件決定部と、
前記通信条件決定部で決定した通信条件を前記通信制御部に設定する条件設定部と、
を備える無線通信装置。
【請求項２】
他の装置と無線通信を行なう無線通信装置における無線通信方法であって、
前記無線通信装置が、
現在の位置を認識するステップと、
前記ステップで認識した位置情報に対応する通信条件を決定するステップと、
前記通信条件を前記無線通信装置の通信制御部に設定するステップと、
前記通信条件に基づいて無線通信を行なうステップと、
を行なう無線通信方法。
【請求項３】
他の装置と無線通信を行なう無線通信装置における無線通信プログラムであって、
現在の位置を認識するステップと、
前記ステップで認識した位置情報に対応する通信条件を決定するステップと、
前記通信条件を前記無線通信装置の通信制御部に設定するステップと、
前記通信条件に基づいて無線通信を行なうステップと、
を前記無線通信装置に実行させる無線通信プログラム。
【発明の詳細な説明】
【０００１】
【発明の属する技術分野】
本発明は、位置に応じた通信条件で無線通信を行なう技術に関する。例えば、ＧＰＳにより使用場所の国を判別し、その国に対応した設定を自動的に行なう無線通信装置に関するものである。
【０００２】
【従来の技術】
多数のコンピュータを有する企業や大学などでは、コンピュータを互いにＬＡＮで結び、リソースやファイルを共有したり、メールを交換したりすることが一般的に行なわれている。
【０００３】
また、コンピュータは家庭内にも広く普及し、デスクトップ型のコンピュータと携帯型のコンピュータのように、目的に応じて複数のコンピュータを所有している者も多い。このため、家庭内でもＬＡＮを構築する機会が増えてきている。
【０００４】
ところが、従来のＬＡＮは、同軸ケーブルやツイストペアケーブル、或いは光ファイバケーブルを使った有線によるものが中心である。このような有線によるＬＡＮは雑音などの妨害を受けにくく、高い品質の接続を維持し易いが、工事が必要であったり、配線が引き回されたりするという問題があった。そこで電波や赤外線等によって無線通信を行なう無線ＬＡＮを用いることが考えられる。また、企業や大学などの組織においても、利用端末が増加すると、レイアウト変更への対応やモーバイル化への対応のためにワイヤレス化へのシフトが進んでいる（特許文献１，２参照）。
【０００５】
なお、無線ＬＡＮステーション（アクセスポイント）や無線ＬＡＮアダプタ等の無線通信装置では、国ごとに使用できるチャネル数等の通信条件が異なるため、国ごとに仕様を変更する必要があった。
【０００６】
例えば、ＩＥＥＥ８０２．１１ｂ準拠の無線ＬＡＮアダプタの場合、アメリカでは１〜１１ｃｈ（チャネル）の使用が認められているが、日本では１〜１４ｃｈの使用が認められている。
【０００７】
このため、無線ＬＡＮアダプタの製造者は、開発段階において、アメリカで使用する装置では１〜１１ｃｈが使用できるようにファームウェア等を作成し、日本で使用する装置では１〜１４ｃｈが使用できるようにファームウェア等を作成していた。
【０００８】
【特許文献１】
特開平１１−３３１１７６号公報（段落番号２−４）
【特許文献２】
特開２０００−３１４７７１号公報（段落番号５）
【０００９】
【発明が解決しようとする課題】
しかしながら、使用する国ごとに開発を行なうのは非常に手間のかかる作業である。また、重複した作業が生じるため、効率の悪い作業となっていた。
【００１０】
そこで、ユニバーサルなファームウェアを作成し、設定を変更することで使用する国の通信条件に適応できるように構成することも考えられる。しかしこの場合には、無線通信装置の使用に先立って設定を行なわなければならず、操作が煩雑になってしまうという問題点があった。
【００１１】
また、タイムゾーンの選択においても、開発段階で既知のタイムゾーンをすべてファームウェア等に組み込んでおき、ユーザに選択させることがある。この場合にも使用時の操作が煩雑になっていた。
【００１２】
本発明は、斯かる実情に鑑みてなされたものである。即ち、本発明の課題は、複数の通信条件に対応可能に構成していながら、操作の複雑化を招くことなく、適切な通信条件で通信を行なうことのできる技術を提供するものである。
【００１３】
【課題を解決するための手段】
本発明の無線通信装置は、他の装置と無線通信を行なう際、現在の位置を認識して、この位置情報に対応する通信条件を決定し、この通信条件を前記無線通信装置の通信制御部に設定し、該通信制御部がこの通信条件に基づいて無線通信を行なう。
【００１４】
これにより、複数の国や複数の接続サービスに対応可能に構成しても操作の複雑化を招くことなく、適切な通信条件を自動的に設定して無線通信が行なえるようにしている。
【００１５】
また、本発明は、現在の位置を認識するステップと、前記ステップで認識した位置情報に対応する通信条件を決定するステップと、前記通信条件を前記無線通信装置の通信制御部に設定するステップと、前記通信条件に基づいて無線通信を行なうステップとを無線通信装置において行なう無線通信方法、或いはこれらのステップを無線通信装置に実行させる無線通信プログラムであっても良い。
【００１６】
【発明の実施の形態】
§実施形態１
以下、本発明の実施の形態を図１から図５に基づいて説明する。
【００１７】
〈全体構成〉
図１は、本発明に係る無線通信装置を用いた無線ＬＡＮシステムの概略説明図である。
【００１８】
同図において、１は無線ＬＡＮステーション（アクセスポイント）、２は無線ＬＡＮアダプタ、３，４はコンピュータ、５はＧＰＳ衛星である。
【００１９】
無線ＬＡＮステーション１及び無線ＬＡＮアダプタ２は、ＩＥＥＥ８０２．１１ｂ準拠の無線通信装置であり、２．４ＧＨｚ帯の電波により無線通信を行なうものである。また無線ＬＡＮステーション１は、ＬＡＮケーブル６を介して有線のＬＡＮ７にも接続されている。
【００２０】
コンピュータ３は、例えば、ノート型のパーソナルコンピュータである。コンピュータ３は、ユーザが自由に構内を移動して移動先でデータを入力したりするのに用いられる。このコンピュータ３には、無線ＬＡＮを行なうための無線ＬＡＮアダプタ２が装着されている。
【００２１】
コンピュータ４は、携帯情報端末（所謂ＰＤＡ（ｐｅｒｓｏｎａｌ  ｄｉｇｉｔａｌ  ａｓｓｉｓｔａｎｔ））であり、無線ＬＡＮを行なうための無線ＬＡＮアダプタ２が装着されている。
【００２２】
このように、本実施形態では、各コンピュータ３，４及び無線ＬＡＮステーション１により、無線ＬＡＮを構築している。
【００２３】
無線ＬＡＮステーション１及び無線ＬＡＮアダプタ２は、使用に際し、ＧＰＳによって現在位置している国を特定し、この国に応じた通信条件で無線通信を行なう。
【００２４】
〈各装置の構成〉
図２は無線ＬＡＮステーション１を示すブロック図である。
【００２５】
図２に示すように、無線ＬＡＮステーション１は、無線ＬＡＮ通信部（通信部に相当）１１や、通信制御部１２、ＧＰＳ受信部（位置情報取得部に相当）１３、通信条件テーブル１４、通信条件決定部１５、条件設定部１６、無線ＬＡＮアンテナ１７、ＧＰＳアンテナ１８、有線ＬＡＮコントローラ１９を備えている。
【００２６】
無線ＬＡＮ通信部１１は、無線ＬＡＮアンテナ１７を介してデータの送信及び受信を行い、各無線ＬＡＮアダプタ２との間で無線通信を行なう。
【００２７】
通信制御部１２は、前記無線ＬＡＮ通信部１１を所定の通信条件に基づいて制御する。
【００２８】
ＧＰＳ受信部１３は、ＧＰＳ衛星からの電波を受信して現在の位置を認識（即ち位置情報を取得）する。このＧＰＳ受信部１３は、位置情報として例えば緯度・経度を取得する場合、この緯度・経度がどこの国にあたるかを記憶した位置情報テーブルを有している。そして、ＧＰＳ受信部１３は、前記位置情報を取得した場合、該位置情報テーブルを参照して対応する国のデータ（国コード）を出力する。
【００２９】
通信条件テーブル１４は、図３の如く国コードに応じた最大チャネル数、チャネル周波数帯、タイムゾーン等の通信条件を記憶している。
【００３０】
通信条件決定部１５は、前記ＧＰＳ受信部１３で取得した位置情報（国コード）と対応する通信条件を前記通信条件テーブル１４から索出することで通信条件を決定している。
【００３１】
条件設定部１６は、前記通信条件決定部１５で決定した通信条件を前記通信制御部１２に設定する。
【００３２】
有線ＬＡＮコントローラ１９は、有線ＬＡＮ７を構成する端末との通信を行なうものであり、無線ＬＡＮ側のコンピュータから送信されたデータを無線ＬＡＮ通信部１１から受信して有線ＬＡＮ側のコンピュータに出力すると共に、有線ＬＡＮ側のコンピュータから送信されたデータを受信し、無線ＬＡＮ通信部１１を介して無線ＬＡＮ側のコンピュータに出力する。
【００３３】
図４は無線ＬＡＮアダプタ２のブロック図である。
【００３４】
図４に示すように、無線ＬＡＮアダプタ２は、無線ＬＡＮ通信部（通信部に相当）２１や、通信制御部１２、ＧＰＳ受信部１３、通信条件テーブル１４、通信条件決定部１５、条件設定部１６、無線ＬＡＮアンテナ１７、ＧＰＳアンテナ１８を備えている。
【００３５】
無線ＬＡＮ通信部２１は、無線ＬＡＮアンテナ１７を介してデータの送信及び受信を行い、無線ＬＡＮステーション１との間で無線通信を行なう。なお、無線ＬＡＮステーション１と同一の要素には同符号を付して再度の説明を省略する。
【００３６】
〈通信条件の設定手順〉
図５は、無線ＬＡＮステーション１又は無線ＬＡＮアダプタ２の無線通信装置における通信条件の設定手順を示す図である。
【００３７】
先ず、この装置１，２の電源がＯＮにされると、ＧＰＳ受信部１３がこれを検知し（ステップ１、以下Ｓ１のように略記する）、ＧＰＳアンテナ１８を介してＧＰＳ衛星５からの位置情報を取得する（Ｓ２）。
【００３８】
そしてＧＰＳ受信部１３は、該位置情報に基づいて現在位置している国の国コードを前記位置情報テーブルから索出する（Ｓ３）。
【００３９】
ＧＰＳ受信部１３は、この位置情報の検出即ち国コードの索出が成功したか否かを判定し（Ｓ４）、不成功であれば、ステップ２の位置情報の取得に戻り、成功であれば、この国コードを通信条件決定部１５に出力する。
【００４０】
この国コードを受信した通信条件決定部１５は、該国コードに対応する通信条件を通信条件テーブル１４から索出する（Ｓ５）。通信条件決定部１５は、この索出が成功したか否かを判定し（Ｓ６）、不成功であればステップ２の位置情報の取得に戻り、成功であれば、この通信条件を条件設定部１６に出力する。そして条件設定部１６はこの通信条件を通信制御部１２に設定する、即ち通信制御部１２のメモリ１２ａに記憶させる（Ｓ７）。
【００４１】
そして通信制御部１２は、メモリ１２ａを参照し、この通信条件に基づいて無線通信を行う（Ｓ８）。
【００４２】
例えば、本実施形態の無線ＬＡＮステーション１は、電源がＯＮされ（Ｓ１）、位置情報として東経１３９度４４分２８秒８７５９、北緯３５度３９分２９秒１５７２を取得した場合（Ｓ２）、位置情報テーブルを参照して日本を示す国コードＪＳＴを索出する（Ｓ３，Ｓ４）。
【００４３】
無線ＬＡＮステーション１は、この国コードＪＳＴと対応する通信条件として、最高チャネル１４、タイムゾーンＧＭＴ＋９：００（この場合グリニッジ標準時に９時間プラスとなるゾーンを示す）等を通信条件テーブル１４から索出する（Ｓ５，Ｓ６）。
【００４４】
これにより無線ＬＡＮステーション１は、タイムゾーンＧＭＴ＋９：００に基づいてタイマー（不図示）にローカルタイムを設定する。例えば、該タイマーの時刻がグリニッジ標準時である場合には、これに９時間を加えてローカルタイムとする。また、ユーザによって該タイマーの時刻を入力する場合、この時刻がタイムゾーンＧＭＴ＋９：００における時刻であることを示すように設定する。更に、無線ＬＡＮステーション１は、最高１４のチャネルを使用して無線通信を行なう（Ｓ７，Ｓ８）。
【００４５】
なお、国コードは、一つの国に対し、一つに限らず、任意に分割して複数のコードを割り当てるようにしても良い。
【００４６】
例えば、米国であれば、図６に示すように、タイムゾーンに応じて４つのコードを割り当てても良い。これにより無線ＬＡＮステーション１は、サンフランシスコで電源がＯＮされた場合、国コードＰＳＴを索出してＧＭＴ−８のタイムゾーンを設定し、最高１１のチャネルを使用して無線通信を行なう。
【００４７】
また、ＧＰＳ受信部１３がＧＰＳ衛星５から日時情報を取得し、サマータイムか否かを判定し、この判定結果に応じた通信条件を索出するように構成しても良い。例えば４月第１日曜日から１０月最終日曜日迄の間にニューヨークで電源をＯＮにした場合、無線ＬＡＮステーション１は、国コードＥＤＴを索出してＧＭＴ−４のタイムゾーンを設定し、最高１１のチャネルを使用して無線通信を行なう。これ以外の日にニューヨークで電源をＯＮにした場合、無線ＬＡＮステーション１は、国コードＥＳＴを索出してＧＭＴ−５のタイムゾーンを設定し、最高１１のチャネルを使用して無線通信を行なう。
【００４８】
このように本実施形態によれば、通信条件の設定によって複数の国に対応可能なユニバーサルな無線通信装置でありながら、操作の複雑化を招くことなく、使用する国の法規やタイムゾーンに適した通信条件で通信を行なうことができる。
【００４９】
また、本実施形態では、電源投入後、無線通信を開始する前に現在位置を確認して通信条件を設定しているので、設定を間違えたり、設定するのが遅れたりして不適切な通信条件で通信を開始することが無い。
【００５０】
また、国ごとに別々の装置を開発する必要がなくなるため開発時間や開発コストを抑えることができる。更に、例えばアメリカで使用していた無線通信装置を日本に持ってきた場合でも装置が自動的に国ごとの設定を行なうので、ユーザによる設定の手間を増やさずに使用できる。これは、特に無線ＰＣカードといった無線ＬＡＮアダプタに威力を発揮する。また、タイムゾーンの選択においても装置が自動的に設定してくれるので、製品出荷時にデフォルト値を国ごとに変更したり、ユーザによって設定する作業も必要なくなる。
【００５１】
〈変形例〉
上述の実施形態では、無線通信装置の電源をＯＮにする度に通信条件の設定を行ったが、これに限らず最初に電源をＯＮにしたときにだけ通信条件の設定を行い、以降はこの設定を参照して通信を行なうように構成しても良い。
【００５２】
図７にこの通信条件を設定する手順を示す。この無線通信装置は、上述の実施形態と比べて通信条件を設定する手順のみが異なり、他の構成は、図２又は図３の装置と同様である。
における通信条件の設定手順を示す図である。
【００５３】
先ず、この無線通信装置の電源がＯＮにされると、ＧＰＳ受信部１３がこれを検知し（Ｓ１）、通信制御部１２に通信条件が設定されているか否かを確認する（Ｓ２０）。
【００５４】
このとき無線通信装置のＧＰＳ受信部１３は、制御部１２のメモリ１２ａに通信条件が記憶されていれば、通信条件が設定されていると判定し、この通信条件に基づいて無線通信を行なわせる（Ｓ８）。
【００５５】
一方、ステップ２０で、通信条件が設定されていないと判定された場合、ＧＰＳ受信部１３は、ＧＰＳ衛星５からの位置情報を取得し（Ｓ２）、前述と同様に通信条件を設定する。
【００５６】
このように、本例の無線通信装置は、電源投入直後に、設定の有無を確認することで、電源投入時に一度通信条件を設定すれば、以降の電源投入時には位置情報の取得や通信条件の設定の処理を行わずに通信を開始できるようにしている。即ち、本例の無線通信装置は、通信条件の設定以後、電源を投入してから通信を開始するまでの時間を短縮することができる。
【００５７】
なお、通信条件の設定後に、使用する場所を移動した場合には、メモリ１２ａ内の通信条件を削除する。これにより当該無線通信装置は、次回電源投入時に改めて通信条件の設定（Ｓ２〜Ｓ７）を行なう。
【００５８】
§実施形態２
図８は、本発明に係る実施形態２の概略説明図である。本実施形態は、駅やファーストフード店、カフェ等に無線ＬＡＮのアクセスポイント１０ａ，１０ｂ，１０ｃを設置し、インターネット等のネットワークに接続させるサービスを提供する複数の事業者Ａ，Ｂ，Ｃが存在する場合に、本発明に係る無線ＬＡＮアダプタ（無線通信装置）２０が、電源を投入された際、どの事業者のサービス提供エリアに存在するのかを位置情報に基づいて判定し、この事業者用の通信条件を自動的に設定して通信を行なえるようにしたものである。本実施形態の無線ＬＡＮアダプタ２０は、前述の実施形態の無線ＬＡＮアダプタ２と比べて位置情報テーブルや通信条件テーブルの内容、通信条件の手順が異なっているがその他の構成は、略同じである。本実施形態において前述と同一の要素には同符号を付して再度の説明を省略している。
【００５９】
図９は、ＧＰＳ受信部１３に備えられた位置情報テーブルの説明図である。同図に示すように、この位置情報テーブルには、通信事業者とその位置情報とが対応付けて記憶されている。
【００６０】
また、図１０は通信条件テーブルの説明図である。同図に示すように、この通信条件テーブルには、通信事業者と、その通信条件（ＩＤや、パスワード、プロトコル等）とが対応付けて記憶されている。
【００６１】
図１１は、無線ＬＡＮアダプタ２０における通信条件の設定手順を示す図である。
【００６２】
先ず、この無線ＬＡＮアダプタ２０の電源がＯＮにされると、ＧＰＳ受信部１３がこれを検知し（Ｓ３１）、ＧＰＳ衛星５からの位置情報をＧＰＳアンテナ１８を介して取得する（Ｓ３２）。
【００６３】
そしてＧＰＳ受信部１３は、該位置情報に基づいて現在どの事業者のサービス提供エリアに位置しているのかを判定する。このサービス提供エリアの判定は、取得した位置から一番近いアクセスポイントのサービス提供エリアに位置しているとみなすものや、取得した位置がアクセスポイントを中心とした所定の範囲内にを入っているか否かで判定するもの、取得した位置がアクセスポイント毎に指定した位置と一致するか否かで判定するもの等、任意の手法を採用できる。そしてこのサービスを提供している事業者を示す事業者コードを前記位置情報テーブルから索出する（Ｓ３３）。
【００６４】
ＧＰＳ受信部１３は、この位置情報の検出即ち事業者コードの索出が成功したか否かを判定し（Ｓ３４）、不成功であれば、ステップ３２の位置情報の取得に戻り、成功であれば、この事業者コードを通信条件決定部１５に出力する。
【００６５】
この事業者コードを受信した通信条件決定部１５は、該事業者コードに対応する通信条件を通信条件テーブル１４から索出する（Ｓ３５）。通信条件決定部１５は、この索出が成功したか否かを判定し（Ｓ３６）、不成功であればステップ３２の位置情報の取得に戻り、成功であれば、この通信条件を条件設定部１６に出力する。そして条件設定部１６はこの通信条件を通信制御部１２に設定する、即ち通信制御部１２のメモリ１２ａに記憶させる（Ｓ３７）。
【００６６】
そして通信制御部１２は、メモリ１２ａを参照し、この通信条件に基づいて無線通信を行う（Ｓ３８）。
【００６７】
例えば、本実施形態の無線ＬＡＮアダプタ２０は、電源がＯＮされ（Ｓ３１）、位置情報として東経１３９度４５分××秒××××、北緯３５度３８分××秒××××を取得した場合（Ｓ３２）、位置情報テーブルを参照して最も近いアクセスポイント１０ａのサービス提供エリアに位置していると判定し、事業者Ａを示す事業者コードＡＡＡを索出する（Ｓ３３，Ｓ３４）。
【００６８】
無線ＬＡＮアダプタ２０は、この事業者コードＡＡＡと対応する通信条件として、ＩＤ＝Ａ○○○○○、パスワード＝Ａ×××××、プロトコル＝ＴＣＰ等を通信条件テーブル１４から索出する（Ｓ５，Ｓ６）。
【００６９】
これにより無線ＬＡＮアダプタ２０は、事業者Ａのアクセスポイント１０ａに対してＴＣＰを用いて通信を開始し、事業者Ａのサーバにログインする際に前記ＩＤやパスワードを送信する。
【００７０】
このように、本実施形態によれば、無線ＬＡＮによる接続サービスが複数提供され、それぞれ通信条件が異なる場合でも位置情報に応じて適切な通信条件を選択して通信を行なうことができる。即ち、操作の複雑化を招くことなく、異なる通信条件での通信を可能としている。
【００７１】
なお、本実施形態と前述の実施形態１とを組み合わせて最初の電源投入時に使用する国に応じたチャネル数及びタイムゾーンを設定し、その後通信を行なう際にＩＤやパスワードなどを設定するように構成しても良い。
【００７２】
§その他の実施形態
本発明の無線通信装置及び無線通信方法は、上述の形態にのみ限定されるものではなく、本発明の要旨を逸脱しない範囲内において種々変更を加え得ることは勿論である。
【００７３】
例えば、上述の実施形態において位置情報の取得及び通信条件の設定は、電源の投入を契機に行っていたが、これに限らず、無線通信の開始前であれば任意に設定できる。
【００７４】
また、無線ＬＡＮアダプタの位置情報の取得及び通信条件の設定は、電源の投入を契機に行なうものに限らず、コンピュータ３，４が通信ソフトのスクリプトに応じて開始する構成でも良い。
【００７５】
また、以下に付記した構成であっても前述の実施形態と同様の効果を得ることができる。
【００７６】
（付記１）
他の装置と無線通信を行なう無線通信装置において、
無線通信を行なう通信部と、
前記通信部を所定の通信条件に基づいて制御する通信制御部と、
現在の位置を認識する位置情報取得部と、
前記位置情報取得部で取得した位置情報に対応する通信条件を決定する通信条件決定部と、
前記通信条件決定部で決定した通信条件を前記通信制御部に設定する条件設定部と、
を備える無線通信装置。（１）
【００７７】
（付記２）
前記位置情報取得部は、ＧＰＳ衛星からの電波を受信して位置情報を取得する付記１に記載の無線通信装置。
【００７８】
（付記３）
前記通信条件決定部は、前記通信条件として、チャネル数、タイムゾーン、ＩＤ、パスワードの少なくとも一つを決定する付記１に記載の無線通信装置。
【００７９】
（付記４）
前記通信条件決定部は、前記位置情報により使用する国を判別し、この国に適応する通信条件としてこの国のタイムゾーンを選択し、このタイムゾーンに基づいてその国のローカル時刻を決定する付記１に記載の無線通信装置。
【００８０】
（付記５）
前記通信条件決定部は、前記位置情報により使用する国を判別し、この国に適応する通信条件としてその国で定められているチャネル数の上限を設定する付記１に記載の無線通信装置。
【００８１】
（付記６）
前記条件設定部が、当該無線通信装置の電源投入から通信開始までの間に通信条件を設定する付記１に記載の無線通信装置。
【００８２】
（付記７）
他の装置と無線通信を行なう無線通信装置における無線通信方法であって、
前記無線通信装置が、
現在の位置を認識するステップと、
前記ステップで認識した位置情報に対応する通信条件を決定するステップと、
前記通信条件を前記無線通信装置の通信制御部に設定するステップと、
前記通信条件に基づいて無線通信を行なうステップと、
を行なう無線通信方法。（２）
【００８３】
（付記８）
他の装置と無線通信を行なう無線通信装置における無線通信プログラムであって、
現在の位置を認識するステップと、
前記ステップで認識した位置情報に対応する通信条件を決定するステップと、
前記通信条件を前記無線通信装置の通信制御部に設定するステップと、
前記通信条件に基づいて無線通信を行なうステップと、
を前記無線通信装置に実行させる無線通信プログラム。（３）
【００８３】
本発明において、上記の構成要素は可能な限り組み合わせることができる。
【００８４】
【発明の効果】
以上説明したように本発明によれば、複数の通信条件に対応可能に構成していながら、操作の複雑化を招くことなく、適切な通信条件で通信を行なうことができる。
【図面の簡単な説明】
【図１】本発明に係る無線ＬＡＮシステムの概略説明図
【図２】無線ＬＡＮステーション１を示すブロック図
【図３】通信条件テーブル１４の説明図
【図４】無線ＬＡＮアダプタ２のブロック図
【図５】通信条件を設定する手順を示す図
【図６】複数の国コードを割り当てる場合の説明図
【図７】通信条件を設定する手順を示す図
【図８】本発明に係る実施形態２の概略説明図
【図９】実施形態２の位置情報テーブルの説明図
【図１０】実施形態２の通信条件テーブルの説明図
【図１１】無線ＬＡＮアダプタ２０における通信条件の設定手順を示す図
【符号の説明】
１          無線ＬＡＮステーション（無線通信装置）
２          無線ＬＡＮアダプタ（無線通信装置）
３，４  コンピュータ
５          ＧＰＳ衛星
６          ケーブル
１０ａ，１０ｂ，１０ｃ            アクセスポイント
１１      通信部
１２      通信制御部
１２ａ  メモリ
１３      受信部
１４      通信条件テーブル
１５      通信条件決定部
１６      条件設定部
１７      無線ＬＡＮアンテナ
１８      ＧＰＳアンテナ
１９      有線ＬＡＮコントローラ
２０      無線ＬＡＮアダプタ
２１      通信部
【図１】
2004153387.tif 000003
【図２】
2004153387.tif 000004
【図３】
2004153387.tif 000005
【図４】
2004153387.tif 000006
【図５】
2004153387.tif 000007
【図６】
2004153387.tif 000008
【図７】
2004153387.tif 000009
【図８】
2004153387.tif 000010
【図９】
2004153387.tif 000011
【図１０】
2004153387.tif 000012
【図１１】
2004153387.tif 000013